(57)【要約】【課題】照明ランプの発光動作を安定させることができる陽極管を提供すること。【解決手段】本陽極管１２は、管内面に蛍光体付きの陽極１８が面状に形成されたもので、管内部に陽極１８との間で電界が印加されて電界放射する陰極線１６をワイヤ状に配置する配置空間を有し、管内に配置された陰極線１６との間で電界印加時に放電が起きない管位置から陽極１８を外部に引き出す陽極引出端子２４を配置した構成。【選択図】図２
2007207549.tif 000002
【特許請求の範囲】
【請求項１】
管内面に蛍光体付きの陽極が面状に形成されてなる陽極管であって、
当該陽極管に陽極引出端子が一体的に固定され、
この固定された陽極引出端子上に陽極が形成されてなり、
陽極端部および陽極引出端子それぞれの当該陽極管内での位置が、共に、当該陽極管内にワイヤ状に配置された陰極と陽極との間に電界を印加した時に陰極端部との間で放電が起きない位置に設定されている、ことを特徴とする陽極管。
【請求項２】
陽極引出端子は２つの管素体の開口端間に挟持された状態で両管素体に溶接され、
この溶接された陽極引出端子上に陽極が塗布されている、ことを特徴とする請求項１に記載の陽極管。
【請求項３】
上記陽極引出端子は陽極管の内面に嵌め込まれ、
この嵌め込まれた陽極引出端子上に陽極が塗布されている、ことを特徴とする請求項１に記載の陽極管。
【請求項４】
上記陽極引出端子は陽極管に溶融加熱により埋め込まれ、
この埋め込まれた陽極引出端子上に陽極が塗布されている、ことを特徴とする請求項１に記載の陽極管。
【請求項５】
上記陽極引出端子が陽極の少なくとも異なる２箇所において設けられている、ことを特徴とする請求項１ないし４のいずれかに記載の陽極管。
【請求項６】
上記陽極引出端子は陽極管とほぼ同一の熱膨張係数の材料で構成されている、ことを特徴とする請求項１ないし５のいずれかに記載の陽極管。
【請求項７】
請求項１ないし６のいずれかに記載の陽極管と、
上記陽極管内部に空中架設される陰極ワイヤと、
陽極管の両端開口に挿入固定されて陰極ワイヤの端部を支持固定するステムと、
を備える、ことを特徴とする電界放射型照明ランプ。
【発明の詳細な説明】
【技術分野】
【０００１】
本発明は、電界放射型照明ランプに用いる陽極管に関するものである。
【背景技術】
【０００２】
液晶表示素子は、自己発光することができない。そのために、液晶表示素子はバックライト等の照明ランプにより照明することが必要である。バックライトの照明方式には、照明ランプを液晶パネルの背部(直下)に配置して液晶表示素子を照明する直下方式と、照明ランプを液晶パネルの側方（エッジ）に設置して、液晶パネル側に反射板や導光板等を用いて照明するエッジ方式とがある。液晶パネルの照明に上記方式のいずれを採用するかは液晶パネルを組み込む対象機器による（特許文献１参照）。この照明ランプには蛍光ランプやＬＥＤ（発光ダイオード）等の各種のものが提案されている。
【０００３】
ＬＥＤ方式では赤、緑、青の３色のＬＥＤを利用するものとか、３波長を含む白色ＬＥＤを利用するものがある。しかしながら、ＬＥＤ方式のバックライトは、消費電力が大きいことに加えて、基本的に点発光であるために、この点発光を面状の均一な発光に変換することは難しい。
【０００４】
本出願人は、従来のバックライトに用いる照明ランプについて独自に鋭意研究した結果、このバックライト等の照明ランプに極めて有用な低消費電力で面状に均一に発光可能な電界放射型の照明ランプを開発することができるに至った。
【０００５】
この本出願人が製作した照明ランプの公知ではない構造を、図１７および図１８を参照して説明する。図１７は従来の照明ランプの側面図、図１８は図１７の要部を拡大して示す断面図である。これらの図において、従来の照明ランプ１００は、内面に蛍光体１０１付きの陽極１０２を設けた陽極管１０４を備える。この陽極管１０４の両端にステム１０６，１０８が溶接固定される。陽極１０２は蛍光体１０１よりさらに陽極管１０４の一端側に延びて形成されている。
【０００６】
陽極管１０４一端側のステム１０６に陽極引出線１１０が固定される。陽極引出線１１０の一端側に板ばね１１２が固定される。陽極引出線１１０の他端側は陽極管１０４外に引き出される。ステム１０６に陰極線端部支持筒１１４が設けられている。この支持筒１１４に陰極線１１６の一端側が挿入されて陰極線１１６の一端側１１６ａが支持される。なお、ガスゲッタの図示は図解の都合で略している。これら板ばね１１２と陽極引出線１１０は陽極引出端子を構成している。
【０００７】
陽極管１０４他端側のステム１０８に一対の陰極引出線１１８が固定される。一対の陰極引出線１１８の両一端側１１８ａに陰極線１１６の他端側１１６ｂが挟持されて固定される。これにより陰極線１１６は陽極管１０４内に空中架設される。一対の陰極引出線１１８の両他端側１１８ｂは陽極管１０４外に引き出される。
【０００８】
以上の構成を備えた照明ランプ１００においては、陽極管１０４の管径が数ｍｍ程度に小さい細管になると、板ばね１１２が細い管径の陽極管１０４内で陽極１０２に電気的に良好に導通接触させるように組み付け難いこと、板ばね１１２の製作精度が低い場合では板ばね１１２により陽極１０２が削られ易いこと等の製造上の困難さに加えて、陰極線１１６の一端側端部１１６ａと板ばね１１２のステム側基部１１２ａとの間で放電が極めて起こり易くなり、この放電により板ばね１１２と接触する陽極１０２部分が消耗して照明ランプとしての寿命特性にも影響してくるという性能上の課題があった。
【０００９】
以上から本出願人の開発に係る照明ランプにおいては、安定した発光動作を行ううえで解決されるべき課題が残されていた。
【特許文献１】特開２０００−１００９５号公報
【発明の開示】
【発明が解決しようとする課題】
【００１０】
本発明においては、管径が数ｍｍ程度に小さい細管になっても、製造が容易でかつ上記放電が起きずに性能的に安定した陽極管構造を提供することである。
【課題を解決するための手段】
【００１１】
本発明による電界放射型ランプ用陽極管は、管内面に蛍光体付きの陽極が面状に形成されてなる陽極管であって、当該陽極管に陽極引出端子が固定され、この固定された陽極引出端子上に陽極が形成されてなり、陽極端部および陽極引出端子それぞれの当該陽極管内での位置が、共に、当該陽極管内にワイヤ状に配置された陰極と陽極との間に電界を印加した時に陰極端部との間で放電が起きない位置に設定されていることを特徴とするものである。
【００１２】
本発明の陽極管においては、陽極端部と陽極引出端子とが電界印加時にワイヤ状陰極の端部との間で放電を起こさない位置に配置されているから、この陽極管を用いた照明ランプは上記放電に阻害されずに安定した発光動作をすることができるようになる。
【００１３】
本発明の好適な一態様は、陽極引出端子は２つの管素体の開口端間に挟持された状態で両管素体に溶接され、この溶接された陽極引出端子上に陽極が塗布されていることである。
【００１４】
この態様によると、陽極引出端子の取り付けを陽極管内部の真空環境に良好に維持することが可能であり、照明ランプの発光性能に長期維持において有用となる。
【００１５】
本発明の好適な一態様は、上記陽極引出端子は陽極管の内面に嵌め込まれ、この嵌め込まれた陽極引出端子上に陽極が塗布されていることである。
【００１６】
この態様によると、陽極引出端子の取り付けを陽極管内部の真空環境に良好に維持することが可能であり、照明ランプの発光性能に長期維持において有用となる。
【００１７】
本発明の好適な一態様は、上記陽極引出端子は陽極管に溶融加熱により埋め込まれ、この埋め込まれた陽極引出端子上に陽極が塗布されていることである。
【００１８】
この態様によると、陽極引出端子の取り付けを陽極管内部の真空環境に良好に維持することが可能であり、照明ランプの発光性能に長期維持において有用となる。
【００１９】
本発明の好適な一態様は、上記陽極引出端子が少なくとも２つ、陽極の異なる２箇所にそれぞれ設けられていることである。
【００２０】
この態様では、両陽極引出端子を利用することにより陽極の抵抗値の変化やその他の状態を電気的に測定したり検知することができるので、この陽極管を利用した照明ランプを配備した設備の保全に極めて有用である。
【００２１】
本発明の好適な一態様は、上記陽極引出端子は陽極管とほぼ同一の熱膨張係数の材料で構成されていることである。この態様では温度上昇下降時での機械的な強度を安定させることができる。この態様の一例として、例えば陽極引出端子がコバール、陽極管がコバールガラスの組合わせがある。
【発明の効果】
【００２２】
本発明の陽極管は、陰極と陽極との間に電界を印加したときに陰極の端部と陽極引出端子との間の放電の発生を有効に防止することができ、この陽極管を備えた照明ランプの発光動作を安定させることができる。
【発明を実施するための最良の形態】
【００２３】
以下、添付した図面を参照して、本発明の実施の形態に係る陽極管を組み込んだ電界放射型の照明ランプを説明する。
【００２４】
（実施の形態１）
実施の形態１に係る照明ランプを図１ないし図５を参照して説明する。図１は同照明ランプの側面図、図２は同照明ランプの要部を拡大して示す断面図、図３は同照明ランプに用いる陽極引出端子を部分破断して示す斜視図である。
【００２５】
実施の形態１の照明ランプ１０は、ガラス製で円筒状をなす陽極管１２を備える。陽極管１２の両端開口部は、この開口部に溶接固定されたガラス製のステム１４により封止される。陰極線１６は、両ステム１４にその両端が支持固定されて陽極管１２内部に空中架設されている。陽極管１２は、内部真空とされ、その外径が数ｍｍ程度であるが、その外径や長さに特に限定されない。なお、図中、ガスゲッタは図示を略している。
【００２６】
陽極管１２の内面にはＩＴＯやアルミニウム等の金属をスパッタリングやＥＢ蒸着等により薄膜状にした陽極１８が形成されている。この陽極１８上に電子衝突により励起発光する蛍光体２０がスラリー塗布法、スクリーン印刷、電気永動法、沈降法等により円筒状に設けられている。
【００２７】
陰極線１６は導電線１６ａの外周面に電子放出用の炭素膜１６ｂが詳細は略するがプラズマＣＶＤ法等の適宜の成膜手段により成膜されている。
【００２８】
陰極線１６は陽極１８との間の電界印加によりその炭素膜１６ｂから電子を蛍光体２０に向けて放射状に放出する電子放出源（電子エミッタ）となっている。これにより蛍光体２０は面状に発光することができる。炭素膜１６ｂは例えばカーボンナノウォール、カーボンナノチューブ、針状、その他の電界放射により電子放出することができる炭素膜である。陰極線１６の両端１６ｃはステム１４に設けた一対の陰極引出線２２の両一端側２２ａに挟持固定されている。一対の陰極引出線２２の両他端側２２ｂは陽極管１２外に引き出されている。
【００２９】
以上の構成において実施の形態１の陽極管１２においては、陽極１８を外部に引き出すための金属製でかつリング状の陽極引出端子２４が装着固定されている。この装着固定において、陽極管１２は管素体である第１管素体１２ａと第２管素体１２ｂとからなり、両管素体１２ａ，１２ｂそれぞれの開口端が、陽極引出端子２４の両端面の環状溝２４ａ，２４ｂに食い込んだ状態で一体化されている。この陽極引出端子２４と陽極管１２はそれぞれ熱膨張係数は同一ないしはほぼ同一の材料から構成されていることが好ましい。
【００３０】
陽極引出端子２４および陽極１８は、共に、陽極１８と陰極線１６との間に電界が印加されたときに、陰極線１６の端部１６ｃとの間で放電が起きない陽極管１２上の第１位置に固定配置されている。
【００３１】
上記第１位置について図４を参照して説明する。図４は実施の形態に係る照明ランプの陽極管１２の一端側近傍を拡大して示す図である。陰極線１６の端部１６ｃは一対の陰極引出線２２の一端側２２ａで挟持固定されている。この陰極線１６の端部１６ｃを通る半径方向線Ａが陽極管１２と交差する交差点をａ、陰極線１６の端部１６ｃを中心として半径方向線Ａに対して所定角度θ傾いた線Ｂが陽極管１２と交差する交差点をｂ、とする。交差点ａに仮りに陽極１８の端部１８ａが存在している場合では、陰極線１６の端部１６ｃと陽極１８の端部１８ａとの距離が短いために高電界が印加され陰極線１６の端部１６ｃに対する電界集中により当該交差点ａと陰極線１６の端部１６ｃとの間に放電が容易に起こる可能性がある。
【００３２】
これに対して、交差点をａからｂに移動させた位置に陽極１８の端部１８ａが存在する場合では、陽極１８の端部１８ａと陰極線１６の端部１６ｃとの間の電界は低くなり放電が起こらなくなる。この交差点ｂの位置を上記した第１位置となる。
【００３３】
この第１位置またはこの第１位置よりも交差点ａから遠ざかる以遠位置に陽極１８の端部１８ａおよび陽極引出端子２４を取り付ける。そうすると、陰極線１６と陽極１８との間に電界が印加されても、陽極１８の端部１８ａと陽極引出端子２４と陰極線１６の端部１６ｃとの間に放電が起こらない。
【００３４】
なお、図面上で示す第１位置は図解のためであり、本発明において第１位置は交差点ａを外れ上記角度θ＞０となる位置であればよく、第１位置は交差点ａから距離が離れるほど放電防止に好ましい。
【００３５】
図５を参照して陽極管１２への陽極引出端子２４の装着固定ならびに陰極線１６の架設を説明する。陽極管１２を図５（ａ）に示す。陽極管１２は、両端が開口した内外径が相等しいガラス製で円筒状の第１、第２の管素体１２ａ，１２ｂから構成されている。陽極引出端子２４は、金属製でリング状に構成されている。陽極引出端子２４は両端側端面に環状溝２４ａ，２４ｂを有している。
【００３６】
まず図５（ａ）で示すように第１管素体１２ａの開口端面に陽極引出端子２４の一方の環状溝２４ａを嵌め込む。
【００３７】
次いで、図５（ｂ）で示すように第２管素体１２ｂの開口端に陽極引出端子２４の他方の環状溝２４ｂを嵌合して両管素体１２ａ，１２ｂと陽極引出端子２４とを一体に組み込む。そして、この組み込み状態で加熱することにより、両管素体１２ａ，１２ｂの開口端が溶融して陽極引出端子２４と両管素体１２ａ，１２ｂとが一体化される。
【００３８】
そして、この状態で図５（ｃ）のように陽極管１２内面に陽極引出端子２４も含めて陽極１８を塗布するとともに蛍光体２０をさらにその陽極１８の上に塗布して陽極管１２が製作される。上記構成においては、陽極１８は陽極引出端子２４を介して陽極管１２外に引き出される。
【００３９】
最後に図５（ｄ）で示すようにステム１４の一対の陰極引出線２２の端部２２ａに端部１６ｃが挟持固定された陰極線１６を陽極管１２内に挿入して架設する。
【００４０】
以上の構成を備えた照明ランプ１０においては、陽極引出端子２４が接地され陰極引出線２２に直流負バイアスが印加されることにより陽極１８と陰極線１６との間に電界が印加され蛍光体２０が発光する。
【００４１】
そして本実施の形態１では、陽極１８の端部１８ｃと陽極引出端子２４は上記電界印加により陰極線１６の端部１６ｃとの間で放電しない第１位置である陽極管部分に固定されているから、上記電界放射は上記放電で阻害されずに行われる結果、照明ランプ１０は安定した発光動作を行うことができる。
【００４２】
（実施の形態２）
図６ないし図８を参照して実施の形態２に係る電界放射型ランプ１０を説明する。これらの図において、図１ないし図５と対応する部分には同一の符号を付している。図６は実施の形態２の電界放射型ランプ１０の側面図、図７は図６の要部断面を拡大して示す図、図８は電界放射型ランプ１０の製造の説明に用いる工程図である。
【００４３】
図６および図７で示すように、実施の形態２では、陽極引出端子２４が陽極管１２内にリング状に嵌め込まれて、リード線２６で陽極管１２外に引き出されている。この実施の形態２の陽極管１２においても、陽極１８の端部１８ｃと陽極引出端子２４は、陽極１８と陰極線１６との間に電界が印加されたときに、陰極線１６の端部１６ｃとの間で放電が起きない陽極管１２上の第１位置に固定配置されている。これにより、陰極線１６と陽極１８との間に電界が印加されても、陽極１８の端部１８ｃおよび陽極引出端子２４と陰極線１６の端部１６ｃとの間に放電が起こらないようになっている。
【００４４】
図８を参照して陽極管１２への陽極引出端子２４の装着固定ならびに陰極線１６の架設を説明する。陽極管１２を図８（ａ）に示す。陽極管１２は、両端が開口した内外径が相等しいガラス製の第１、第２の管素体１２ａ，１２ｂから構成されている。陽極引出端子２４は、金属製でリング状に構成されている。陽極引出端子２４の外径はこれら管素体１２ａ，１２ｂの内径より若干大きい。
【００４５】
まず図８（ａ）で示すように第１管素体１２ａの内面に陽極引出端子２４を嵌め込む。
【００４６】
次いで、図８（ｂ）で示すように第１管素体１２ａと第２管素体１２ｂそれぞれの開口端同士を溶接する。この場合、リード線２６が両管素体１２ａ，１２ｂの溶接接合部から外部に引き出しておく。
【００４７】
そして、この状態で図８（ｃ）のように陽極管１２内面に陽極引出端子２４も含めて陽極１８を塗布するとともに蛍光体２０をさらにその陽極１８の上に塗布して陽極管１２が製作される。
【００４８】
最後に図８（ｄ）で示すようにステム１４の一対の陰極引出線２２の端部２２ａに端部１６ｃが挟持固定された陰極線１６を陽極管１２内に挿入して架設する。
【００４９】
以上の構成を備えた照明ランプ１０においては、陽極引出端子２４が接地され陰極引出線２２に直流負バイアスが印加されることにより陽極１８と陰極線１６との間に電界が印加され蛍光体２０が発光する。
【００５０】
そして本実施の形態２では、陽極１８の端部１８ｃおよび陽極引出端子２４は上記電界印加により陰極線１６の端部１６ｃとの間で放電しない第１位置である陽極管部分に固定されているから、上記電界放射は上記放電で阻害されずに行われる結果、照明ランプ１０は安定した発光動作を行うことができる。
【００５１】
（実施の形態３）
図９ないし図１２を参照して実施の形態２に係る電界放射型ランプ１０を説明する。これらの図において、図１ないし図５と対応する部分には同一の符号を付している。図９は実施の形態３の電界放射型ランプ１０の側面図、図１０は図９の要部断面を拡大して示す図、図１１は陽極引出端子の部分的に破断して示す斜視図、図１２は電界放射型ランプ１０の製造の説明に用いる工程図である。
【００５２】
図９ないし図１１で示すように、実施の形態３では、陽極引出端子２４は陽極管１２内にリング状に嵌め込まれている。この実施の形態３の場合、陽極引出端子２４が短円筒状で両側端面に凸条部２４ｃ，２４ｄを備えた形状になっていて、この凸条部２４ｃ，２４ｄが陽極管１２を構成するガラス製の第１、第２管素体１２ａ，１２ｂの端面に食い込んだ形状になって抜け止めされている。
【００５３】
実施の形態３の陽極管１２においても、陽極１８の端部１８ｃおよび陽極引出端子２４は、陽極１８と陰極線１６との間に電界が印加されたときに、陰極線１６の端部１６ｃとの間で放電が起きない陽極管１２上の第１位置に固定配置されている。これにより、陰極線１６と陽極１８との間に電界が印加されても、陽極引出端子２４と陰極線１６の端部１６ｃとの間に放電が起こらないようになっている。
【００５４】
図１２を参照して陽極管１２への陽極引出端子２４の装着固定ならびに陰極線１６の架設を説明する。陽極管１２を図１２（ａ）に示す。陽極管１２は、両端が開口した内外径が相等しい第１、第２の管素体１２ａ，１２ｂから構成されている。陽極引出端子２４は、金属製でリング状に構成されている。陽極引出端子２４は両端側端面に凸条部２４ｃ，２４ｄを有している。
【００５５】
まず図１２（ａ）で示すように第１管素体１２ａの開口端面と陽極引出端子２４の凸条部２４ｃとを対向させ、また、第２管素体１２ｂの開口端面と陽極引出端子２４の凸条部２４ｄとを対向させる。
【００５６】
次いで、図１２（ｂ）で示すように両管素体１２ａ，１２ｂの対向する開口端間に陽極引出端子２４を挟持した状態で互いに向けて押し込みつつ溶融することにより陽極引出端子２４の両凸条部２４ｃ，２４ｄが第１、第２管素体１２ａ，１２ｂの開口端面に喰い込んだ状態に接合されて陽極管１２が構成される。
【００５７】
そして、この状態で図１２（ｃ）のように陽極管１２内面に陽極引出端子２４も含めて陽極１８を塗布するとともに蛍光体２０をさらにその陽極１８の上に塗布して陽極管１２が製作される。上記構成においては、陽極１８は陽極引出端子２４を介して陽極管１２外に引き出される。
【００５８】
最後に図１２（ｄ）で示すようにステム１４の一対の陰極引出線２２の端部２２ａに端部１６ｃが挟持固定された陰極線１６を陽極管１２内に挿入して架設する。
【００５９】
以上の構成を備えた照明ランプ１０においては、陽極引出端子２４が接地され陰極引出線２２に直流負バイアスが印加されることにより陽極１８と陰極線１６との間に電界が印加され蛍光体２０が発光する。
【００６０】
そして本実施の形態２では、陽極１８の端部１８ｃおよび陽極引出端子２４は上記電界印加により陰極線１６の端部１６ｃとの間で放電しない第１位置である陽極管部分に固定されているから、上記電界放射は上記放電で阻害されずに行われる結果、照明ランプ１０は安定した発光動作を行うことができる。
【００６１】
（実施の形態４）
図１３ないし図１５を参照して実施の形態４に係る電界放射型ランプ１０を説明する。これらの図において、図１ないし図５と対応する部分には同一の符号を付している。図１３は実施の形態４の電界放射型ランプ１０の側面図、図１４は図１３の要部断面を拡大して示す図、図１５は電界放射型ランプ１０の製造の説明に用いる工程図である。
【００６２】
図１３ないし図１４で示すように、実施の形態４では、陽極引出端子２４は陽極管１２を溶融させて嵌め込まれている。陽極引出端子２４は、陽極引出端子２４と陽極管１２とを加熱して該陽極引出端子２４を陽極管１２に埋め込んだものである。
【００６３】
実施の形態４の陽極管１２においても、陽極１８の端部１８ｃおよび陽極引出端子２４は、陽極１８と陰極線１６との間に電界が印加されたときに、陰極線１６の端部１６ｃとの間で放電が起きない陽極管１２上の第１位置に固定配置されている。これにより、陰極線１６と陽極１８との間に電界が印加されても、陽極引出端子２４と陰極線１６の端部１６ｃとの間に放電が起こらないようになっている。
【００６４】
図１５を参照して陽極管１２への陽極引出端子２４の装着固定ならびに陰極線１６の架設を説明する。陽極管１２を図１５（ａ）に示す。陽極管１２は、両端が開口した管素体から構成されている。陽極引出端子２４は、金属片で構成されている。
【００６５】
まず図１５（ａ）で示すように陽極管１２の外面に陽極引出端子２４を押し付けるとともに、陽極管１２と陽極引出端子２４とを加熱する。これにより図１５（ｂ）で示すように陽極引出端子２４が押し付けられた陽極管１２部分に陽極引出端子２４は埋め込まれる。
【００６６】
そして、この状態で図１５（ｃ）のように陽極管１２内面に陽極引出端子２４も含めて陽極１８を塗布するとともに蛍光体２０をさらにその陽極１８の上に塗布して陽極管１２が製作される。上記構成においては、陽極１８は陽極引出端子２４を介して陽極管１２外に引き出される。
【００６７】
最後に図１５（ｄ）で示すようにステム１４の一対の陰極引出線２２の端部２２ａに端部１６ｃが挟持固定された陰極線１６を陽極管１２内に挿入して架設する。
【００６８】
以上の構成を備えた照明ランプ１０においては、陽極引出端子２４が接地され陰極引出線２２に直流負バイアスが印加されることにより陽極１８と陰極線１６との間に電界が印加され蛍光体２０が発光する。
【００６９】
そして本実施の形態４では、陽極１８の端部１８ｃおよび陽極引出端子２４は上記電界印加により陰極線１６の端部１６ｃとの間で放電しない第１位置である陽極管部分に固定されているから、上記電界放射は上記放電で阻害されずに行われる結果、照明ランプ１０は安定した発光動作を行うことができる。
【００７０】
（実施の形態５）
図１６を参照して実施の形態５に係る照明ランプ１０を説明する。図１６において、図１ないし図５と対応する部分には同一の符号を付している。実施の形態５においては、実施の形態１と同様の第１、第２陽極引出端子２４Ａ，２４Ｂが陽極管１２の一方側と他方側とのそれぞれに１つずつ取り付けられている。そして第１の陽極引出端子２４Ａは陽極管１２の内面の陽極１８の一方側に、第２の陽極引出端子２４Ｂは陽極１８の他方側において、それぞれ、実施の形態１と同様に、陰極線１６の両側の端部１６ｃそれぞれとの間で放電が起きない陽極管１２上の第１位置に固定配置されている。
【００７１】
この実施の形態５においては、陽極１８の両側に第１、第２陽極引出端子２４Ａ，２４Ｂを接続したので、両陽極引出端子２４Ａ，２４Ｂを利用してランプの特性を検知することに用いることができる。
【００７２】
例えば、陽極１８は陰極線１６側から放出される電子の衝突により劣化してランプ寿命に影響するようになる。そのランプ寿命は当該ランプ設備の保全管理において極めて重要である。
【００７３】
実施の形態５では、両陽極引出端子２４Ａ，２４Ｂ間に抵抗計を接続し、陽極１８の抵抗値変化から陽極の劣化状態を検知することができる。また、実施の形態５では陰極の両端を陽極管外に引き出すことができるので、両陰極直接あるいは両陰極引出端子も利用して陰極の劣化状態を検知することができる。
【００７４】
本発明は、上述した実施の形態に限定されるものではなく、特許請求の範囲に記載した範囲内で、種々な変更ないしは変形を含むものである。
【図面の簡単な説明】
【００７５】
【図１】図１は本発明の実施の形態１に係る陽極管を組み込んだ照明ランプの外観図である。
【図２】図２は図１の照明ランプの要部を拡大して示す断面図である。
【図３】図３は陽極引出端子を部分破断して示す斜視図である。
【図４】図４は陽極引出端子と陰極の端部との間の放電の説明に供するもので陽極引出端子近傍の断面図である。
【図５】図５は実施の形態１の照明ランプの製造の説明に用いる図である。
【図６】図６は実施の形態２に係る陽極管を組み込んだ照明ランプの側面図である。
【図７】図７は図６の照明ランプの要部を拡大して示す断面図である。
【図８】図８は実施の形態２の照明ランプの製造の説明に用いる図である。
【図９】図９は実施の形態３に係る陽極管を組み込んだ照明ランプの側面図である。
【図１０】図１０は図９の照明ランプの要部を拡大して示す断面図である。
【図１１】図１１は実施の形態３の陽極引出端子を部分破断して示す斜視図である。
【図１２】図１２は実施の形態３の照明ランプの製造の説明に用いる図である。
【図１３】図１３は実施の形態４に係る陽極管を組み込んだ照明ランプの側面図である。
【図１４】図１４は図１３の照明ランプの要部を拡大して示す断面図である。
【図１５】図１５は実施の形態４の照明ランプの製造の説明に用いる図である。
【図１６】図１６は実施の形態５の照明ランプの側面図である。
【図１７】図１７は従来の照明ランプの側面図である。
【図１８】図１８は図１７の要部を拡大して示す断面図である。
【符号の説明】
【００７６】
１０  照明ランプ
１２  陽極管
１４  ステム
１６  陰極
１８  陽極
２０  蛍光体
２２  陰極引出線
２４  陽極引出端子
【図１】
2007207549.tif 000003
【図２】
2007207549.tif 000004
【図３】
2007207549.tif 000005
【図４】
2007207549.tif 000006
【図５】
2007207549.tif 000007
【図６】
2007207549.tif 000008
【図７】
2007207549.tif 000009
【図８】
2007207549.tif 000010
【図９】
2007207549.tif 000011
【図１０】
2007207549.tif 000012
【図１１】
2007207549.tif 000013
【図１２】
2007207549.tif 000014
【図１３】
2007207549.tif 000015
【図１４】
2007207549.tif 000016
【図１５】
2007207549.tif 000017
【図１６】
2007207549.tif 000018
【図１７】
2007207549.tif 000019
【図１８】
2007207549.tif 000020